(57)【要約】【課題】容器内の薬品と空気の接触を最小限にし、薬品の性能を長期間維持しながら薬注を行うことができる薬注装置を提供すること。【解決手段】容器１０及びポンプ７を具備し、該容器１０内に収容した薬液Ｑを吸込管９を介して該ポンプ７で吸い込み所定の場所に注入する薬注装置であって、容器１０は柔軟性を有する材料で構成され、該容器の吸込口に気密に装着した密栓キャップ８を設けると共に、該密栓キャップ８に吸込管９が貫通する吸込管貫通穴を設け、該吸込管９の外周と該吸込管貫通穴の間隙を密封手段で密封した。【選択図】図２
2005126099.tif 000002
【特許請求の範囲】
【請求項１】
容器及びポンプを具備し、該容器内に収容した薬液を吸込管を介して該ポンプで吸い込み所定の場所に注入する薬注装置であって、
前記容器は柔軟性を有する材料で構成され、該容器の吸込口に気密に装着した密栓キャップを設けると共に、該密栓キャップに前記吸込管が貫通する吸込管貫通穴を設け、該吸込管外周と該吸込管貫通穴の間隙を密封手段で密封したことを特徴とする薬注装置。
【請求項２】
請求項１に記載の薬注装置において、
前記密封手段は、前記吸込管貫通穴に気密に装着されたゴム栓を有し、該ゴム栓に設けた前記吸込管の外径より小さい内径の穴に該吸込管を挿入した構成であることを特徴とする薬注装置。
【請求項３】
請求項１又は２に記載の薬注装置において、
前記容器は剛性を有する材料で構成されたケーシング内に収容されていることを特徴とする薬注装置。
【発明の詳細な説明】
【技術分野】
【０００１】
本発明は、ボイラの薬注装置等に関し、薬品の品質を長期間維持することのできる薬注装置に関するものである。
【背景技術】
【０００２】
従来この種の薬注装置に用いられる薬液を収容する容器は、スチール、プラスチック等の剛性を有する材料からなる成形品であり、薬注ポンプの吸出しにより容器内の薬液が減量するとこの減量分に相当する量の空気が外部から容器内に混入し、容器内の薬液は新たな空気と接触することになる。薬品によっては空気との接触により性能が劣化するものがあり、このように空気と接触することにより性能が劣化する薬品の場合、劣化を考慮し容器内に注入する薬品量を決定している。
【特許文献１】特開平１０−２１１９６３号公報
【発明の開示】
【発明が解決しようとする課題】
【０００３】
上記のように、空気接触による劣化を考慮し容器内に注入する薬品量を決定すると一度に充填する薬品量が少量となり、短期間に何回も薬品の充填作業が必要となるという問題がある。また、薬品と空気の接触を遮断するため、容器内にボール等を浮かべておくやり方もあるが、完全に薬品と空気との接触を防止することが不可能である。また、装置そのものが高価なものとなる。
【０００４】
本発明は上述の点に鑑みてなされたもので上記問題点を除去し、容器内の薬品と空気の接触を最小限にし、薬品の性能を長期間維持しながら薬注を行うことができる薬注装置を提供することを目的とする。
【課題を解決するための手段】
【０００５】
上記課題を解決するため請求項１に記載の発明は、容器及びポンプを具備し、該容器内に収容した薬液を吸込管を介して該ポンプで吸い込み所定の場所に注入する薬注装置であって、容器は柔軟性を有する材料で構成され、該容器の吸込口に気密に装着した密栓キャップを設けると共に、該密栓キャップに吸込管が貫通する吸込管貫通穴を設け、該吸込管外周と該吸込管貫通穴の間隙を密封手段で密封したことを特徴とする。
【０００６】
請求項２に記載の発明は、請求項１に記載の薬注装置において、密封手段は吸込管貫通穴に気密に装着されたゴム栓を有し、該ゴム栓に設けた吸込管の外径より小さい内径の穴に吸込管を挿入した構成であることを特徴とする。
【０００７】
請求項３に記載の発明は、請求項１又は２に記載の薬注装置において、容器は剛性を有する材料で構成されたケーシング内に収容されていることを特徴とする。
【発明の効果】
【０００８】
請求項１に記載の発明によれば、容器は柔軟性を有する材料で構成され、該容器の吸込口に気密に装着した密栓キャップを設けると共に、該密栓キャップに吸込管が貫通する吸込管貫通穴を設け、該吸込管外周と該吸込管貫通穴の間隙を密封手段で密封したので、ポンプを運転して容器内の薬液を吸込んでも、その吸込み量に相当する分容器が収縮するから、容器内に空気が浸入することなく、薬液は空気に接触することがない。従って、薬品の空気接触による性能の劣化を遅らせることができる。また、容器内にその容量一杯の薬液を充填できるから、薬液の充填作業を軽減することが可能となる。
【０００９】
請求項２に記載の発明によれば、吸込管外周と吸込管貫通穴の間隙を密封する密封手段がゴム栓に吸込管の外径より小さい内径の穴を設け該穴に吸込管を挿入するという簡単な構成で容器内の機密性を維持することが可能となる。
【００１０】
請求項３に記載の発明によれば、容器は剛性を有する材料で構成されたケーシング内に収容されているので、容器がケーシング内で常に安定して収容された薬液の増減に応じて収縮できる。
【発明を実施するための最良の形態】
【００１１】
以下、本発明の実施の形態例を図面に基づいて説明する。図１乃至図３は本発明に係る薬注装置の構成を示す図である。図１（ａ）は密栓キャップの平面図、図１（ｂ）は密栓キャップの側断面図、図２及び図３は薬注装置の全体構成を示す図で、図２は容器内に薬液が充分にある状態を、図３は容器内の薬液が吸込まれて少なくなった状態を示す。図において、１０は薬液を収容する容器で、該容器は柔軟性を有する材料、例えば低密度ポリエチレンやポリプロピレン系エラストマーのような柔軟性を有する合成樹脂材で構成されている。
【００１２】
８は密栓キャップで、該密栓キャップ８は外蓋１と内蓋２で構成され、外蓋１の内周面には容器１０の吸込口（薬液注入口）に螺合するネジ部５が設けられている。外蓋１及び内蓋２の中央部には吸込管９が貫通する吸込管貫通穴４が設けられている。外蓋１の吸込管貫通穴４の内周にはゴム栓３が気密状態で装着されている。このゴム栓３の中央部には内径が吸込管９の外径より小さい穴３ａが設けられている。なお、内蓋２は外蓋１を保護するための保護部材としての作用を有する。
【００１３】
上記密栓キャップ８を容器１０のネジ式の吸込口に螺合させると、該吸込口に密栓キャップ８は気密状態で螺合する。また、ゴム栓３の穴３ａに吸込管９を挿入することにより、穴３ａの内径は吸込管９の外径より小さくなっているから、ゴム栓３の穴３ａの内周面と吸込管９の外周面の間も気密状態に密封される。なお、吸込管９の先端にはストレーナ１２が装着されている。
【００１４】
１１は上記容器１０が収容される剛性を有するケーシングであり、該ケーシング１１の上部には薬注ポンプ７が搭載され、吸込管９の後端は該薬注ポンプ７の吸込口７ａに接続されている。なお、薬注ポンプ７の吐出口７ｂには薬液供給管６が接続されている。
【００１５】
図２に示すように、容器１０内に薬液Ｑを注入した状態で、容器１０の吸込口に密栓キャップ８を螺合装着させることにより、容器１０内は外部から空気が浸入しない気密状態となる。この状態で、薬注ポンプ７を運転すると容器１０内の薬液Ｑはストレーナ１２から吸込管９を経由して、薬注ポンプ７で加圧され薬液供給管６を通して、例えばボイラの缶水に注入される。
【００１６】
上記のように薬注ポンプ７を運転することにより、容器１０内の薬液Ｑは吸込まれ減少し、容器１０内の内圧が降下するが、上記のように容器１０の吸込口と密栓キャップ８の間及びゴム栓３と吸込管９の間が気密状態になっているから、容器１０内には外部から空気が浸入しない。そして容器１０は、柔軟性を有する合成樹脂材で構成されているから、容器１０は薬液Ｑの減少量に相当する分、図３に示すように収縮（凹む）する。これにより、薬液Ｑは空気と接触することがないから、空気との接触によるその性能の劣化速度を遅らせることができる。また、容器１０の容量を大きくすれば、薬液の充填作業を軽減することが可能となる。
【００１７】
以上本発明の実施形態を説明したが、本発明は上記実施形態に限定されるものではなく、特許請求の範囲、及び明細書と図面に記載された技術的思想の範囲内において種々の変形が可能である。例えば密栓キャップ８は図１に示す構成に限定されるものではなく、要は容器１０の吸込口に気密状態で装着でき、且つ吸込管９が気密状態で密栓キャップ８を貫通できる構成であればよい。
【図面の簡単な説明】
【００１８】
【図１】本発明に係る薬注装置の密栓キャップの構成を示す図で、図１（ａ）は平面図、図１（ｂ）は側断面図である。
【図２】本発明に係る薬注装置の全体構成を示す図で、薬液が充分にある状態を示す図である。
【図３】本発明に係る薬注装置の全体構成を示す図で、薬液が吸込まれて少なくなった状態を示す図である。
【符号の説明】
【００１９】
１      外蓋
２      内蓋
３      ゴム栓
４      吸込管貫通穴
５      ネジ部
６      薬液供給管
７      薬注ポンプ
８      密栓キャップ
９      吸込管
１０    容器
１１    ケーシング
１２    ストレーナ
【図１】
2005126099.tif 000003
【図２】
2005126099.tif 000004
【図３】
2005126099.tif 000005